(57)【要約】  レンズ外周部を有してレンズ外周部が一体フランジで取り囲まれた状態にある非平面レンズを含む光学素子を開示する。フランジは、第１の表面と第１の表面に対向する第２の表面とを有する。環状プラスチック不透明マスク層が、フランジの第１の表面またはフランジの第２の表面に融着され、かつ非平面レンズ上に延在している。
2007502446.tif 000002
【特許請求の範囲】
【請求項１】
ａ）レンズ外周部と該レンズ外周部を取り囲む一体フランジとを有する非平面レンズであって、該フランジは、第１の表面と該第１の表面の反対側にある第２の表面とを有する非平面レンズと、
ｂ）該フランジの第１の表面または該フランジの第２の表面に融着されかつ該非平面レンズ上に延在する環状プラスチック不透明マスク層と、
を備える、光学素子。
【請求項２】
前記環状プラスチック不透明マスク層が０．２ｍｍ〜０．４ｍｍの厚さを有する、請求項１に記載の光学素子。
【請求項３】
前記フランジが１〜２５ｍｍの厚さを有する、請求項１に記載の光学素子。
【請求項４】
前記フランジおよび前記マスクが０．５ｍｍ以下の同心度を有する、請求項１に記載の光学素子。
【請求項５】
前記プラスチックマスク層がプラスチックマスク層のガラス転移温度を有し、かつ前記凹レンズまたは凸レンズが、凹レンズまたは凸レンズのガラス転移温度を有し、かつ該プラスチックマスク層のガラス転移温度が、該凹レンズまたは凸レンズのガラス転移温度よりも高い、請求項１に記載の光学素子。
【請求項６】
前記プラスチックマスク層がポリアクリレートで形成され、かつ前記凹レンズまたは凸レンズがポリアクリレートで形成される、請求項１に記載の光学素子。
【請求項７】
前記プラスチックマスク層が前記フランジの第１の表面または前記フランジの第２の表面に直接融着される、請求項１に記載の光学素子。
【請求項８】
前記プラスチックマスク層が所定の幅を有し、かつ前記フランジが所定の幅を有し、かつ該プラスチックマスク層幅が該フランジ幅よりも大きい、請求項１に記載の光学素子。
【請求項９】
前記フランジの第１の表面および前記フランジの第２の表面が平面状である、請求項１に記載の光学素子。
【請求項１０】
前記環状プラスチック不透明マスク層が、前記レンズ外周部と、前記第１の表面全体または前記第２の表面全体と、に融着される、請求項１に記載の光学素子。
【請求項１１】
ａ）光源と、
ｂ）ディスプレイ媒体と、
ｃ）該光源と該ディスプレイ媒体との間に配設されたレンズ素子であって、該レンズ素子は、
ｉ）レンズ外周部を有してレンズ外周部が一体フランジで取り囲まれた状態にある非平面レンズであって、該フランジは、第１の表面と該第１の表面の反対側にある第２の表面とを有する非平面レンズと、
ｉｉ）該フランジの第１の表面または該フランジの第２の表面に融着された環状プラスチック不透明マスク層と、
を含むレンズ素子と、
を備える、プロジェクションテレビ。
【請求項１２】
前記環状プラスチック不透明マスク層が前記非平面レンズ上に延在する、請求項１１に記載のプロジェクションテレビ。
【請求項１３】
前記光源が陰極線管である、請求項１１に記載のプロジェクションテレビ。
【請求項１４】
ａ）レンズ外周部と該レンズ外周部を取り囲むフランジとを有する非平面レンズを形成する工程であって、該フランジは、第１の表面と該第１の表面の反対側にある第２の表面とを有する工程と、
ｂ）該フランジの第１の表面または該フランジの第２の表面に環状プラスチック不透明マスク層を融着させかつ該非平面レンズ上に延在させる工程と、
を含む、光学素子の形成方法。
【請求項１５】
環状プラスチック不透明マスク層の前記融着が、レンズ外周部と該レンズ外周部を取り囲む平面状フランジとを有する非平面レンズの前記形成と同時に行われ、該フランジは、第１の表面と該第１の表面の反対側にある第２の表面とを有する、請求項１４に記載の方法。
【請求項１６】
前記形成が、レンズ外周部と該レンズ外周部を取り囲む平面状フランジとを有する非平面レンズを射出成形により形成することを含み、該平面状フランジは、第１の表面と該第１の表面の反対側にある第２の表面とを有する、請求項１４に記載の方法。
【請求項１７】
前記形成が、前記環状プラスチック不透明マスク層を成形型面上に配設してから該成形型面上で前記非平面レンズを形成することをさらに含む、請求項１６に記載の方法。
【請求項１８】
前記形成が、前記環状プラスチック不透明マスク層を非平面レンズ材料に融着させるのに十分な温度で前記環状プラスチック不透明マスク層上に非平面レンズ材料を射出することをさらに含む、請求項１７に記載の方法。
【請求項１９】
前記形成が、所定の幅を有する平面状環状プラスチック不透明マスク層と所定の幅を有するフランジとを配設することを含み、該マスク層幅は該フランジ幅よりも大きい、請求項１８に記載の方法。
【請求項２０】
前記融着が、０．５ｍｍ以下の同心度を有する前記フランジおよび前記マスクとを融着させることを含む、請求項１９に記載の方法。
【発明の詳細な説明】
【背景技術】
【０００１】
プロジェクションテレビは、典型的には、原色の赤色、青色、および緑色に対応する３つの陰極線管（ＣＲＴ）を備える。プロジェクションレンズアセンブリーは、複数のレンズを用いて、ＣＲＴフェースプレート上に現われた画像を拡大し、はるかに大きいビューイングスクリーン上にその画像を投影する。プロジェクションテレビで用いられるＣＲＴは、典型的には、３〜９インチの直径を有する。スクリーン上に投影された画像は、一般的には、対角線で測定して４０〜６０インチの範囲内またはそれ以上のサイズを有する。
【０００２】
各ＣＲＴは、ＣＲＴフェースプレートに隣接して取り付けられた関連拡大レンズ系を有する。通常、レンズアセンブリーは、少なくとも１つの「Ａ」レンズ素子と少なくとも１つの「Ｂ」レンズ素子と少なくとも１つの「Ｃ」レンズ素子とで形成される。レンズ素子の数にかかわらず、これらは、当技術分野では一般に「Ａ」、「Ｂ」、および「Ｃ」レンズ群と呼ばれる。すなわち、各「群」は、１つ以上のレンズ素子で構成可能である。「Ｂ」レンズ群は、通常は、ガラスで形成されたレンズを備えるが、「Ａ」および「Ｃ」レンズ群は、プラスチックで形成可能である。しかしながら、当然のことではあるが、各群は、ガラスで形成された１つ以上のレンズとプラスチックで形成された１つ以上のレンズとを備えることが可能である。他の選択肢として、レンズアセンブリーは、すべてガラスレンズまたはすべてプラスチックレンズを備えることも可能である。
【０００３】
これらのレンズは、典型的には、レンズに装着された取付けフランジを備える。このフランジに、フランジを通してのまたはその近傍における望ましくない光透過を阻止するためにマスクを施すことが可能である。マスクは、光学素子の湾曲部に沿って、光がレンズを透過しうる湾曲部上の位置すなわち「クリアーアパーチャー」まで、延在可能である。
【０００４】
このマスクは、フランジ上に塗装可能である。しかしながら、マスクに関連する塗装の欠点をいくつか列挙すると、マスクを適用する追加の工程およびそれに続くクリーニングプロセスが必要であること、塗装プロセスから望ましくない揮発性有機成分が放出されること、塗装プロセスおよびクリーニングプロセスから有害廃棄物が生成されること、ならびにさらなる加工工程が困難になることが挙げられる。
【発明の開示】
【課題を解決するための手段】
【０００５】
一般的には、本発明は、プロジェクションテレビのようなディスプレイさらには光学素子を内蔵するディスプレイや他のデバイスに供される光学レンズアセンブリーなどをはじめとするさまざまな用途に有用な光学素子に関する。
【０００６】
一実施形態では、光学素子は、レンズ外周部を有してレンズ外周部が一体フランジで取り囲まれた状態にある非平面レンズを備える。フランジは、第１の表面と第１の表面の反対側にある第２の表面とを有する。環状プラスチック不透明マスク層が、フランジの第１の表面またはフランジの第２の表面に融着され、かつ非平面レンズ上に延在している。
【０００７】
さらなる実施形態では、プロジェクションテレビは、光源と、ディスプレイ媒体と、光源とディスプレイ媒体との間に配設されたレンズ素子と、を備える。レンズ素子は、レンズ外周部を有してレンズ外周部が一体フランジで取り囲まれた状態にある非平面レンズを備える。フランジは、第１の表面と第１の表面の反対側にある第２の表面とを有する。環状プラスチック不透明マスク層が、フランジの第１の表面またはフランジの第２の表面に融着される。
【０００８】
他の実施形態では、光学素子の形成方法は、レンズ外周部とレンズ外周部を取り囲むフランジとを有する非平面レンズを形成することを含む。フランジは、第１の表面と第１の表面の反対側にある第２の表面とを有する。環状プラスチック不透明マスク層が、フランジの第１の表面またはフランジの第２の表面に融着され、かつ非平面レンズ上に延在している。
【０００９】
上記の発明の概要は、本発明のそれぞれの開示された実施形態またはすべての実施態様について記載することを意図したものではない。図、詳細な説明、および以下の実施例により、これらの実施形態についてより具体的に説明する。
【００１０】
本発明による種々の実施形態に関する以下の詳細な説明を添付の図面に関連させて検討すれば、本発明についてより完全な理解が得られるであろう。
【００１１】
本発明は、様々な変更形態および代替形態をとることができ、その詳細を図面に例として示し、以下に詳細に説明する。しかしながら、当然のことではあるが、本発明を記載の特定の実施形態に限定しようとするものではない。そうではなく、本発明の精神および範囲に包含されるすべての変更形態、等価形態、および代替形態を包含することを意図するものである。
【発明を実施するための最良の形態】
【００１２】
本発明による光学素子および光学素子の製造方法は、マスク付き光学素子を必要とするさまざまな用途、たとえば、光学アセンブリー、プロジェクションテレビのような光学プロジェクションシステム、さらには光学アセンブリーを内蔵するディスプレイや他のデバイスに適用可能であると考えられる。本発明はそのように限定されるものではないが、本発明の種々の態様の評価は、以下に提供されている実施例を検討することにより得られるであろう。
【００１３】
以下に定義される用語に関して、特許請求の範囲または本明細書中の他のどこかに異なる定義が与えられていないかぎり、これらの定義が適用されるものとする。
【００１４】
「ポリマー」という用語は、ポリマー、コポリマー（たとえば、２種以上の異なるモノマーを用いて形成されるポリマー）、オリゴマー、およびそれらの組合せ、さらには共押出またはエステル交換などの反応により混和性ブレンドの状態で形成できるポリマー、オリゴマー、またはコポリマーを包含するものとする。とくに指示がないかぎり、ブロックコポリマーおよびランダムコポリマーの両方が包含される。
【００１５】
「プラスチック」という用語は、たとえば、硬化剤、充填剤、強化剤、着色剤、可塑剤などのような他の成分と組み合わせうるポリマー（通常は合成ポリマー）を意味する。すなわち、混合物を加熱下かつ加圧下で形成または成形して、その硬化状態において、高い寸法確度で機械加工し、トリミング処理し、そして仕上げ処理することができる。熱可塑性タイプのプラスチックは、熱によりその元の状態に再軟化させることができるが、熱硬化性タイプのプラスチックは、熱によりその元の状態に再軟化させることができない。
【００１６】
「融着する」、「融着している」、または「融着された」という用語は、熱エネルギーのようなエネルギーを併用して素子を連結したり、一体化したり、溶接したりすることを意味する。
【００１７】
「非平面レンズ」という表現は、凹状、凸状、両凹状、両凸状などである球面レンズまたは非球面レンズを有する光透過性物品を意味する。
【００１８】
終点による数値範囲の記述は、その範囲内に入るすべての数値を包含する（たとえば、１〜５は、１、１．５、２、２．７５、３、３．８０、４、および５を包含する）。
【００１９】
本明細書および添付の特許請求の範囲で使用する場合、単数形の「ａ」、「ａｎ」、および「ｔｈｅ」は、内容上明らかに異なる場合を除いて、複数形の指示対象を包含する。したがって、たとえば、「化合物」を含有する組成物への言及は、２種以上の化合物の混合物を包含する。本明細書および添付の特許請求の範囲で使用する場合、「または」という用語は、内容上明らかに異なる場合を除いて、一般的には、その意味に「および／または」を包含して利用される。
【００２０】
図１は、本発明の実施形態によるレンズ１００の斜視図である。非平面レンズ１００の湾曲部分１０１は、外周部１１０と、外周部１１０において非平面レンズ１００の湾曲部分１０１を取り囲む一体フランジ１２０と、を有する。
【００２１】
フランジ１２０は、第１の表面１２３と、第１の表面１２３の反対側にある第２の表面１２７と、第１の表面１２３と第２の表面１２７との間の距離により定義されるフランジ厚さ１２５と、を有する。フランジ１２０は、任意の所望の厚さ１２５を有することができる。フランジ１２０は、少なくとも０．１ｍｍまたは１ｍｍ〜２５ｍｍまたは１ｍｍ〜１０ｍｍの厚さ１２５を有することができる。フランジの第１の表面１２３およびフランジの第２の表面１２７は、平面状であることができる。レンズ１００のフランジ１２０および湾曲部分１０１は、ポリアクリレートやポリカーボネートなどのような熱可塑性プラスチックから形成可能である。
【００２２】
環状プラスチック不透明マスク層１３０は、レンズ外周部１１０に、かつその内側でレンズ１００の湾曲部分１０１（クリアーアパーチャーを形成する部分）に、かつ第１の表面１２３もしくは第２の表面１２７のいずれか一方または第１の表面１２３と第２の表面１２７の両方に、融着される。環状プラスチック不透明マスク層１３０は、第１の表面１２３の一部分または第１の表面１２３全体に融着させることができる。環状プラスチック不透明マスク層１３０は、第２の表面１２７の一部分または第２の表面１２７全体に融着させることができる。環状プラスチック不透明マスク層１３０は、第２の表面１２７の一部分および／または第１の表面１２５の一部分にのみ融着させることができる。環状プラスチック不透明マスク層１３０は、レンズ１００の特定用途に依存して、レンズ外周部１１０の内側にもしくはその上にさえもまたはレンズ１００の湾曲部分１０１上に延在していなくてもよい。
【００２３】
環状プラスチック不透明マスク層１３０は、０．１ｍｍ〜１ｍｍ（０．００４〜０．０４インチ）または０．２ｍｍ〜０．４ｍｍ（０．００７〜０．０１５インチ）の厚さを有することができる。フランジ１２０および環状プラスチック不透明マスク層１３０は、１ｍｍ以下、０．７５ｍｍ以下、または０．５ｍｍ以下の同心度を有することができる。
【００２４】
プラスチックマスク層１３０のガラス転移温度（Ｔg）は、凹レンズまたは凸レンズのガラス転移温度（Ｔg）と同一にまたはそれよりも高くすることができる。プラスチックマスク層１３０のガラス転移温度（Ｔg）は、好ましくは、凹レンズまたは凸レンズのガラス転移温度（Ｔg）よりも１〜５０％または１〜２５％または１〜１５％または１〜１０％高い。環状プラスチック不透明マスク層１３０は、たとえば、ポリアクリレート、ポリカーボネートなどのような熱可塑性プラスチックから形成可能であり、不透明性を提供するように染料または顔料（黒色、灰色、褐色など）を含有していてもよい。
【００２５】
図１は、「Ｃ」レンズ１００を示しており、マスク層を含む任意のレンズがこれに包含されると考えられる。このほか、プロジェクションテレビに関連して、レンズ１００は、「Ａ」レンズ、「Ｂ」レンズ、「Ｃ」レンズなどであることができる。
【００２６】
図２は、図１に示した非平面レンズ１００の正面立面図である。非平面レンズ２００は、レンズ外周部２１０に取り囲まれた湾曲部分２０１と、レンズ外周部２１０を取り囲むフランジ表面２２３と、を有する。環状プラスチック不透明マスク層２３０は、フランジ表面２２３、レンズ外周部２１０、および湾曲部分２０１に融着させることができる。フランジは、１ｍｍ〜７５ｍｍまたは３ｍｍ〜２５ｍｍまたは５ｍｍ〜１５ｍｍの幅Ｆwを有する。環状プラスチック不透明マスク層２３０は、環状プラスチック不透明マスク層２３０がフランジ表面２２３の全幅にわたりかつレンズ外周部２１０の内側のレンズ２００の湾曲部分２０１上に延在するように、フランジ幅Ｆwよりも大きい幅Ｍwを有することができる。環状プラスチック不透明マスク層２３０は、フランジ幅Ｆwよりも少なくとも１％、１０％、２０％、または３０％大きい幅Ｍwを有することができる。環状プラスチック不透明マスク層２３０は、フランジ幅Ｆwに等しい幅Ｍwを有することができる。環状プラスチック不透明マスク層２３０は、環状プラスチック不透明マスク層２３０がレンズ２００の湾曲部分２０１またはレンズ外周部２１０からフランジ表面２２３上に延在しかつフランジ幅Ｆwよりも少なくとも１％、１０％、２０％、または３０％小さく、結果として環状プラスチック不透明マスク層２３０を含まないフランジ表面２２３の部分が残るように、フランジ幅Ｆwよりも小さい幅Ｍwを有することができる。
【００２７】
フランジ２２３は、フランジ内径Ｆidおよびフランジ外径Ｆodを有することができる。マスク２３０は、マスク内径Ｍidおよびマスク外径Ｍodを有することができる。マスク外径Ｍodは、フランジ外径Ｆodと同一にまたはそれよりも小さくすることができる。マスク外径Ｍodを、フランジ外径Ｆodよりも１〜２０％、１〜１０％、または１〜５％小さくすることができる。マスク内径Ｍidを、フランジ内径Ｆidと同一にまたはそれよりも小さくすることができる。マスク内径Ｍidは、フランジ内径Ｆidよりも１〜２０％、１〜１０％、または１〜５％小さくすることができる。したがって、マスク２３０の一部分は、レンズ外周部２１０に融着されてレンズ２００の湾曲部分２０１上に延在することができる。
【００２８】
図３は、本発明の実施形態による環状プラスチック不透明マスク層３００の斜視図である。環状プラスチック不透明マスク層３００は、マスクの第１の表面３２３と、その反対側にあるマスクの第２の表面３２７と、それらの間の距離により定義されるマスク厚さＭtと、を有する。レンズ１００、２００に融着される前、環状プラスチック不透明マスク層３００は、平面であることができる。環状プラスチック不透明マスク層３００は、先に記載したようなマスク内径Ｍidおよびマスク外径Ｍodを有する。
【００２９】
図４は、図１に示したレンズ１００を製造するための成形型面４００の正面立面図である。図示した成形型面４００は、射出成形法で利用されるものであるが、熱および圧力を用いてレンズを形成する任意の方法がこれに包含されると考えられる。成形型面４００は、非平面レンズ表面４１０を有することができる。図示したレンズ表面４１０は、凸状表面である。フランジ凹部４２０は、レンズ表面４１０を取り囲み、移行部４０５は、フランジ凹部４２０とレンズ表面４１０との間に配設される。真空ポート４３０は、フランジ凹部４２０内に配設されうる。外側壁４１５は、フランジ凹部４２０を取り囲む。ゲート４４０は、溶融されたレンズ材料が成形型４００に進入できるようにするものであり、フランジ凹部４２０を貫通して配設される。
【００３０】
図５は、レンズ１００の形成前における図４のライン５−６に沿った成形型面の断面図である。成形型面５００は、非平面レンズ表面５１０を有することができる。図示したレンズ表面５１０は、凸状表面である。フランジ凹部５２０は、レンズ表面５１０を取り囲み、移行部５０５は、フランジ凹部５２０とレンズ表面５１０との間に配設される。真空ポート５３０を、フランジ凹部５２０内に配設することができる。外側壁５１５は、フランジ凹部５２０を取り囲む。ゲート５４０は、溶融されたレンズ材料が成形型５００に進入できるようにするものであり、フランジ凹部５２０を貫通して配設される。
【００３１】
環状プラスチック不透明マスク層５５０は、フランジ凹部５２０内に配設された形で示されている。環状プラスチック不透明マスク層５５０は、移行部５０５を越えてレンズ表面５１０上に延在する部分５５５を備える。部分５５５は、レンズ湾曲部５１０上に任意の距離で、たとえば、１ｍｍ〜５ｍｍまたは２ｍｍ〜４ｍｍなどの距離で延在することができる。成形型５００を、図５に示すように環状プラスチック不透明マスク層５５０を変形させるのに十分な程度に熱くすることができ、または環状プラスチック不透明マスク層５５０を、図６に示すように成形型に押入されるレンズ材料によりまたは成形型面プレート圧力により加えられる圧力により図５に示すように変形できる。
【００３２】
真空ポート５３０により環状プラスチック不透明マスク層５５０に真空を適用して環状プラスチック不透明マスク層５５０を所定の位置に保持することができるが、他のアライメント手段も利用できる。ゲート５４０は、溶融されたレンズ材料が環状プラスチック不透明マスク層５５０の上を流動するように、外側壁５１５内に配置できる。マスク５５０は、外側壁５１５に対して密嵌めを形成してフランジ凹部５２０中にしっかりと嵌入しうるか、またはマスク５５０は、フランジ凹部５２０中に、ただし、外側壁５１５から任意の距離を隔てて、たとえば、０．１ｍｍ〜１ｍｍ（０．００４〜０．０４インチ）または０．２ｍｍ〜０．４ｍｍ（０．００７〜０．０１５インチ）または０．３ｍｍ（０．０１２インチ）などの距離を隔てて、嵌入できる。
【００３３】
図６は、レンズ１００の形成後における図４のライン５−６に沿った成形型６００の断面図である。成形型面プレート６７０は、成形型面６１０上に配置されてレンズ１００を形成できるキャビティーを形成することができる。任意の透明熱可塑性材料であることのできる溶融されたレンズ材料は、ゲート６４０を介して成形型６００に進入し、移行部６０５を越えて延在する部分６５５を含む環状プラスチック不透明マスク層６５０上に流入する。溶融されたレンズ材料は、レンズ表面６１０上に流入してレンズの湾曲部分６６０を形成する。溶融されたレンズ材料は、フランジ６６５およびレンズ６６０を形成する。溶融されたレンズ材料は、環状プラスチック不透明マスク層６５０に融着して単体素子を形成する。
【００３４】
レンズ１００の形成時、成形型６００の温度は、環状プラスチック不透明マスク層６５０を変形させてフランジ凹部６３０およびレンズ表面６１０に導入するのに十分な任意の有用温度、たとえば７０℃〜１００℃などでありうる。溶融されたレンズ材料は、環状プラスチック不透明マスク層６５０をフランジ６６５および／またはレンズ６６０に融着させるのに十分な任意の有用温度、たとえば２００℃〜３００℃などにあることができる。成形型６００は、たとえば７，０００ｋＰａのような任意の有用圧力で充填できる。レンズ１００は、たとえば７０，０００ｋＰａのような任意の有用圧力で形成できる。
【００３５】
図７は、プロジェクションテレビのディスプレイシステム７００の概略図である。プロジェクションテレビのディスプレイシステム７００は、陰極線管などのような光源７１０と、ディスプレイ媒体７３０と、光源７１０とディスプレイ媒体７３０との間に配設されたレンズアセンブリー７２０と、を備える。光源７１０は、光７１５を放出する。レンズアセンブリー７２０は、放出された光７１５を操作してディスプレイ媒体上に投影される光７２５にする。レンズアセンブリー７２０の詳細については、たとえば、米国特許第６，４４１，９７６号明細書および米国特許出願公開第２００２／０１０１６６８Ａ１号明細書に見いだしうる。
【００３６】
本発明は、上記の特定の実施例に限定されるとみなされるべきものではなく、添付の特許請求の範囲に公正に記載されている本発明のすべての態様を包含するものであると理解しなければならない。本発明の適用対象となりうる種々の変更、等価な方法、および多数の構成は、本発明が関係する技術分野の当業者であれば、本明細書を調べることにより自明なものとなろう。
【図面の簡単な説明】
【００３７】
【図１】本発明の実施形態によるレンズの斜視図である。
【図２】図１に示されるレンズの正面立面図である。
【図３】本発明の実施形態による環状プラスチック不透明マスク層の斜視図である。
【図４】図１に示されるレンズを製造するための成形型面の正面立面図である。
【図５】レンズの形成前における図４のライン５−６に沿った成形型面の断面図である。
【図６】レンズの形成後における図４のライン５−６に沿った成形型面の断面図である。
【図７】プロジェクションテレビのディスプレイシステムの概略図である。
【図１】
2007502446.tif 000003
【図２】
2007502446.tif 000004
【図３】
2007502446.tif 000005
【図４】
2007502446.tif 000006
【図５】
2007502446.tif 000007
【図６】
2007502446.tif 000008
【図７】
2007502446.tif 000009
【国際調査報告】
2007502446.tif 000010
2007502446.tif 000011